(57)【特許請求の範囲】
【請求項１】
手摺受け金具に載置された二つの手摺材の突き合わせ端部の内側に接続部材が挿入され、前記接続部材は、溝型または板形の本体と、その両端部にナットが溶接されて形成された雌ねじと、本体のほぼ中央に切り起こされて形成された調整用引掛部とを備え、手摺受け金具の下方から接続部材の雌ねじに雄ねじが締めつけられて二つの手摺材の突き合わせ端部が固定され、該突き合わせ端部にカバーが設けられ、カバーが二つの手摺材の突き合わせ端部の外周に沿うよう曲折された帯状体からなり、手摺受け金具は、支持部と手摺材を支える手摺受け部とからなり、支持部と手摺受け部とはボルトにより回動可能に接続されると共に、前記ボルトを介してカバーの両端部が手摺受け部に係止された手摺。
【発明の詳細な説明】
【０００１】
【発明の属する技術分野】
本発明は、廊下、階段等に設置される手摺に関するものである。
【０００２】
【従来の技術】
従来、廊下、階段等に設置される手摺は、二つの手摺材の突き合わせ端部に該手摺材の断面内形に等しい筒状の接続部材が挿入され、かつ手摺材の断面外形に等しい環状のカバーが嵌められた状態で手摺受け金具に載置され、該手摺受け金具の下方から接続部材に形成された螺子孔に雄ねじが締めつけられ、固定されていた。
【０００３】
しかしながらかかる従来の手摺では接続部材が手摺材の断面内形に等しい筒状となされているので、該接続部材が二つの手摺材の突き合わせ端部に挿入されると、ちょうど中間に設置されているか一方に偏在しているかの確認が困難であり、接続部材に形成された螺子孔と手摺材の突き合わせ端部の透孔と手摺受け金具の透孔との位置合わせに手間がかかり、作業性に劣るという欠点がある。
また、二つの手摺材の突き合わせ端部の外側に嵌められたカバーも環状であるので、手摺材を手摺受け金具に取り付ける前にあらかじめ手摺材に挿通しておかなければならず、かつ手摺材の突き合わせ端部と手摺受け金具とを螺子止めする際に該突き合わせ端部にちょうどまたがるよう位置合わせするのも手間がかかり、作業性に劣るという欠点がある。
【０００４】
【発明が解決しようとする課題】
本発明は上記問題点を解決し、作業性に優れた手摺を提供するものである。
【０００５】
【課題を解決するための手段】
本発明手摺は上記課題を達成するため、手摺受け金具に載置された二つの手摺材の突き合わせ端部の内側に接続部材が挿入され、前記接続部材は、溝型または板形の本体と、その両端部にナットが溶接されて形成された雌ねじと、本体のほぼ中央に切り起こされて形成された調整用引掛部とを備え、手摺受け金具の下方から接続部材の雌ねじに雄ねじが締めつけられて二つの手摺材の突き合わせ端部が固定され、該突き合わせ端部にカバーが設けられ、カバーが二つの手摺材の突き合わせ端部の外周に沿うよう曲折された帯状体からなり、手摺受け金具は、支持部と手摺材を支える手摺受け部とからなり、支持部と手摺受け部とはボルトにより回動可能に接続されると共に、前記ボルトを介してカバーの両端部が手摺受け部に係止されたものである。
【０００８】
【発明の実施の形態】
以下、本発明の実施形態について図に基づき詳述する。
図中１は手摺材、２は接続部材、３はカバー、４は手摺受け金具である。
【０００９】
手摺材１は、断面が円形、楕円形、角形、扇形等の長尺体であって、ステンレス、アルミ、真鍮等の金属製や、ポリエチレン、ポリプロピレン、ＡＢＳ樹脂、ポリ塩化ビニル等の合成樹脂が被覆された鋼管、ＦＲＰ管、木材等が使用される。なお、合成樹脂被覆鋼管の場合、該合成樹脂層に木粉等を混合して木肌状の手触りとしてもよいし、適宜握りやすいよう凹凸を賦形してもよい。
【００１０】
また該手摺材１は、２本が突き合わせ状に向き合って設置され、端部近くにねじ用の透孔が穿設されている。
【００１１】
接続部材２は、二つの手摺材１，１の突き合わせ端部の内側に挿入され、両手摺材端部を接続一体化するものであって、本体２１と雌ねじ２２とからなり、本体２１は溝型または板形の鋼材が使用される。雌ねじ２２は本体２１の両端部に少なくとも各１個ずつ設けられたものであり、該本体２１にナットが溶接されて形成されている。また本体２１にはそのほぼ中央に調整用引掛部２３が形成されており、ドライバーの先端等で引掛けて摺動できるようになされている。
【００１２】
カバー３は二つの手摺材１，１の突き合わせ端部の外側に設けられるものであって、通常手摺材の外周に沿うよう曲折された帯状体からなり、ゴム、合成樹脂等の可撓性のある材料から作製される他、ステンレス、アルミ、真鍮等の金属製であってもよい。
また、該カバー３は逆Ｕ形状に曲折され、手摺材の外周に上方からはめ込まれるとともに、その両端部が手摺受け金具４に達する長さとなされている。
【００１３】
手摺受け金具４は建物の壁面、支柱の側面等に設置され、手摺材１を支えるものであって、壁面や側面等に沿わされる支持部４１と手摺材１を支える手摺受け部４２とからなる。
【００１４】
支持部４１と手摺受け部４２とは鋳鉄、アルミダイカスト等により、それぞれ別途に作製し、ボルト４３により回動可能に接続されており、階段等に勾配をつけて設置するのに好適なようになされている。なお、ボルト４３を介してカバー３の両端部が係止されている。
【００１５】
【発明の効果】
以上詳述したように本発明手摺は手摺受け金具に載置された二つの手摺材の突き合わせ端部の内側に雌ねじが形成された接続部材が挿入され、手摺受け金具の下方から接続部材の雌ねじに雄ねじが締めつけられて二つの手摺材の突き合わせ端部が固定されるので、二つの手摺材の隙間から接続部材が見え、該接続部材の雌ねじと手摺材の端部の透孔と手摺受け金具の透孔との位置合わせが容易であり、組立ての作業性がよい。
【００１６】
また、二つの手摺材が手摺受け金具に固定された後に二つの手摺材の突き合わせ端部にカバーが設けられるので、カバーを正確に二つの手摺材の突き合わせ端部に設置することができ、きっちりと仕上げることができる。
【００１７】
さらに、カバーが二つの手摺材の外周に沿うように曲折された帯状体からなるので、該カバーと手摺材の外周との間に隙間が生じず見栄えがよい。
【００１８】
さらにまた、接続部材のほぼ中央に調整用引掛部が形成されているので、二つの手摺材の突き合わせ端部に挿入された接続部材を二つの手摺材の隙間からドライバー等を差し込み、該調整用引掛部に引掛けて接続部材を摺動させることができ、接続部材の位置合わせが容易である。
【図面の簡単な説明】
【図１】本発明継手の一実施例の一部切欠斜視図である。
【図２】本発明継手の一実施例の組立て手順の説明図であり、（イ）は一方の手摺材と接続部材が手摺受け金具に載置された状態を示し、（ロ）は他方の手摺材も載置された状態を示し、（ハ）は二つの手摺材の外周にカバーを設ける寸前の状態を示し、（ニ）はカバーを設置しおわった状態を示すものである。
【図３】本発明継手に使用される接続部材の一例の斜視図である。である。
【図４】本発明継手に使用される接続部材の他の例の斜視図であって、（イ）は本体が板材となされたものであり、（ロ）は本体が棒材となされたものである。
【符号の説明】
１    手摺材
２    接続部材
２１  本体
２２  雌ねじ
２３  調整用引掛部
３    カバー
４    手摺受け金具
４１  支持部
４２  手摺受け部
４３  ボルト
【図１】
0003586540.tif 000002
【図２】
0003586540.tif 000003
【図３】
0003586540.tif 000004
【図４】
0003586540.tif 000005